(57)【要約】      （修正有）【課題】擁壁の構築にあたって小口止め壁の仮設作業が不要で、施工時間，労力の短縮と安全作業を実現でき、隔壁の形成も容易に行われる壁部一体型基礎ブロックを提供する。【解決手段】擁壁構築用の積みブロック１を積載可能な底板部３を備えたコンクリート製ブロック体２の前記底板部３に、上方へ立ち上がる仕切り形成用壁部４を一体成形した構成とし、この仕切り形成用壁部４の上部に壁部材５を積み上げ設置することで、擁壁の端部に仕切り形成用壁部４と壁部材５とから成る小口止め壁を形成、若しくは隣接する擁壁間に仕切り形成用壁部４と壁部材５とから成る隔壁を形成し得るように構成したことを特徴とする。【選択図】図２
0003185704.tif 000002
【実用新案登録請求の範囲】
【請求項１】
擁壁構築用の積みブロックを積載可能な底板部を備えたコンクリート製ブロック体の前記底板部に、上方へ立ち上がる仕切り形成用壁部を一体成形した構成とし、この仕切り形成用壁部の上部に壁部材を積み上げ設置することで、擁壁の端部に仕切り形成用壁部と壁部材とから成る小口止め壁を形成、若しくは隣接する擁壁間に仕切り形成用壁部と壁部材とから成る隔壁を形成し得るように構成したことを特徴とする壁部一体型基礎ブロック。
【請求項２】
前記底板部の左右いずれか一端部に、上方へ立ち上がる前記仕切り形成用壁部を一体成形し、この仕切り形成用壁部の高さ寸法を、前記ブロック体の重心がこの仕切り形成用壁部でなく前記底板部に存する高さ寸法に設定したことを特徴とする請求項１記載の壁部一体型基礎ブロック。
【請求項３】
前記仕切り形成用壁部の高さ寸法を、前記底板部の左右幅の２／５〜３／５の高さ寸法に設定して、前記ブロック体の重心が前記底板部に存するように構成したことを特徴とする請求項２記載の壁部一体型基礎ブロック。
【請求項４】
前記仕切り形成用壁部の上部に、前記壁部材の下部に係止する係止部を設けたことを特徴とする請求項１〜３のいずれか１項に記載の壁部一体型基礎ブロック。
【請求項５】
擁壁を構築する積みブロックを積載可能なコンクリート製の擁壁用基礎ブロックと左右並設状態に設置する壁部一体型基礎ブロックであって、前記底板部の左右いずれか一端部若しくは両端部に、この底板部とは前後幅寸法が異なる前記擁壁用基礎ブロックと連結可能な連結部を設けたことを特徴とする請求項１〜４のいずれか１項に記載の壁部一体型基礎ブロック。
【請求項６】
前記仕切り形成用壁部の後部に、ネジ棒を後方へ突出状態にして螺着可能なインサートナットを埋設したことを特徴とする請求項１〜５のいずれか１項に記載の壁部一体型基礎ブロック。
【請求項７】
前記仕切り形成用壁部の側壁部に、型枠材固定用のネジを螺着可能なインサートナットを埋設したことを特徴とする請求項１〜６のいずれか１項に記載の壁部一体型基礎ブロック。
【考案の詳細な説明】
【技術分野】
【０００１】
本考案は、擁壁の構築に用いる壁部一体型基礎ブロックに関するものである。
【背景技術】
【０００２】
従来から、河川の護岸に擁壁が構築されている。
【０００３】
この擁壁は、切土した法面の下部の地面にコンクリート製の擁壁用基礎ブロックを川縁に沿って多数並設状態に設置固定し、この基礎ブロック上に擁壁構築用積みブロックを上下左右に連続して積み重ねてこの擁壁構築用積みブロックの正面壁の集合により擁壁面を形成し、この擁壁面の背面（擁壁構築用積みブロックの背面）と法面との間の隙間に砕石やコンクリートなどの硬化剤を充填することで構築されている。
【０００４】
また、護岸擁壁の端部には、現場打ちコンクリート製或いはプレキャストコンクリート製（例えば、非特許文献１参照。）の小口止め壁が構築されてこの擁壁端部が浸食されるのを防護する構造とされている。
【先行技術文献】
【非特許文献】
【０００５】
【非特許文献１】株式会社アドヴァンスホームページ所載の「小口止めブロック」（URL：http://www.advance-kk.co.jp/product/makidome/）
【考案の概要】
【考案が解決しようとする課題】
【０００６】
例えば、非特許文献１のようなプレキャストコンクリート製の小口止め壁は、前記擁壁用基礎ブロックを地面に設置固定する前に河川の端に予め仮設状態に立てておくようにして施工するが、この小口止め壁が大型の重量物であるために、現場での仮設作業に時間と労力を要していた。
【０００７】
更に、この小口止め壁の専用の仮設具はなく、現場で適当な道具を使用しての仮設であったために仮設状態の安定性に不安があり、この仮設状態の小口止め壁の近くで作業者が擁壁用基礎ブロックの設置作業を行うこともあって現場では改善が求められていた。
【０００８】
本考案は、上記のような問題点に注目し、これを解消しようとするもので、擁壁用基礎ブロックに、擁壁端部の小口止め壁として機能する壁部を一体化したことにより、小口止め壁の仮設作業が不要で施工時間と労力を短縮でき、安全性にも優れた壁部一体型基礎ブロックを提案するものである。
【０００９】
また、特に護岸擁壁は、所定間隔（例えば２０ｍ間隔）ごとに隔壁で仕切る隔壁工が採用されているが、この隔壁の形成にも使用可能な壁部一体型基礎ブロックを提案するものである。
【課題を解決するための手段】
【００１０】
添付図面を参照して本考案の要旨を説明する。
【００１１】
擁壁Ｗ構築用の積みブロック１を積載可能な底板部３を備えたコンクリート製ブロック体２の前記底板部３に、上方へ立ち上がる仕切り形成用壁部４を一体成形した構成とし、この仕切り形成用壁部４の上部に壁部材５を積み上げ設置することで、擁壁Ｗの端部に仕切り形成用壁部４と壁部材５とから成る小口止め壁６を形成、若しくは隣接する擁壁Ｗ間に仕切り形成用壁部４と壁部材５とから成る隔壁７を形成し得るように構成したことを特徴とする壁部一体型基礎ブロックに係るものである。
【００１２】
また、前記底板部３の左右いずれか一端部に、上方へ立ち上がる前記仕切り形成用壁部４を一体成形し、この仕切り形成用壁部４の高さ寸法を、前記ブロック体２の重心がこの仕切り形成用壁部４でなく前記底板部３に存する高さ寸法に設定したことを特徴とする請求項１記載の壁部一体型基礎ブロックに係るものである。
【００１３】
また、前記仕切り形成用壁部４の高さ寸法を、前記底板部３の左右幅の２／５〜３／５の高さ寸法に設定して、前記ブロック体２の重心が前記底板部３に存するように構成したことを特徴とする請求項２記載の壁部一体型基礎ブロックに係るものである。
【００１４】
また、前記仕切り形成用壁部４の上部に、前記壁部材５の下部に係止する係止部８を設けたことを特徴とする請求項１〜３のいずれか１項に記載の壁部一体型基礎ブロックに係るものである。
【００１５】
また、擁壁Ｗを構築する積みブロック１を積載可能なコンクリート製の擁壁用基礎ブロック９と左右並設状態に設置する壁部一体型基礎ブロックＡであって、前記底板部３の左右いずれか一端部若しくは両端部に、この底板部３とは前後幅寸法が異なる前記擁壁用基礎ブロック９と連結可能な連結部10を設けたことを特徴とする請求項１〜４のいずれか１項に記載の壁部一体型基礎ブロックに係るものである。
【００１６】
また、前記仕切り形成用壁部４の後部に、ネジ棒11を後方へ突出状態にして螺着可能なインサートナット13を埋設したことを特徴とする請求項１〜５のいずれか１項に記載の壁部一体型基礎ブロックに係るものである。
【００１７】
また、前記仕切り形成用壁部４の側壁部に、型枠材14固定用のネジ12を螺着可能なインサートナット13を埋設したことを特徴とする請求項１〜６のいずれか１項に記載の壁部一体型基礎ブロックに係るものである。
【考案の効果】
【００１８】
本考案は上述のように構成したから、壁部一体型基礎ブロックの設置固定と同時に小口止め壁の基礎となる仕切り形成用壁部の設置も完了するので、従来のような小口止め壁の仮設作業は不要となり、この仕切り形成用壁部の上部に壁部材を積み上げ設置するだけで小口止め壁を形成できるので、それだけ従来に比して施工時間の短縮と労力の低減（省人化）を図ることができ、同様に隔壁も容易に形成でき、仕切り形成用壁部を有する構成でありながら、底板部で安定的に接地できるために倒れにくく、従来に比べて設置時の安全性が著しく向上することになり、その上、本考案は、底板部に仕切り形成用壁部を一体成形することによって容易に実現可能で量産性にも富むなど、極めて実用性に優れた壁部一体型基礎ブロックとなる。
【００１９】
また、請求項２，３記載の考案においては、小口止め壁としても隔壁としても機能する仕切り形成用壁部を備えた本考案の壁部一体型基礎ブロックを簡易に設計実現可能となると共に、仕切り形成用壁部（壁部一体型基礎ブロック）が倒れにくく一層設置時の安全性に優れた構成となり、特に請求項３記載の考案のように構成することにより、確実に重心が底板部側に存する構成を簡易に設計実現可能となる。
【００２０】
また、請求項４記載の考案においては、仕切り形成用壁部の上部に壁部材を安定的に積み上げ設置することができる一層実用性に優れた構成の壁部一体型基礎ブロックとなる。
【００２１】
また、請求項５記載の考案においては、前後幅寸法の異なる既存の擁壁用基礎ブロックであっても、連結部を介して連結することができる汎用性に優れた壁部一体型基礎ブロックとなる。
【００２２】
また、請求項６記載の考案においては、小口止め壁若しくは隔壁と法面との間にコンクリートなどの硬化剤を充填し硬化させて小口止め壁若しくは隔壁を法面と一体化させる場合に、仕切り形成用壁部の後部のインサートナットにネジ棒を螺着しこのネジ棒を鉄筋として機能させて仕切り形成用壁部と硬化剤とを強固に一体化できる一層実用性に優れた構成の壁部一体型基礎ブロックとなる。
【００２３】
また、請求項７記載の考案においては、小口止め壁若しくは隔壁と法面との間にコンクリートなどの硬化剤を充填し硬化させて小口止め壁若しくは隔壁を法面と一体化させる場合に、仕切り形成用壁部の側壁部のインサートナットを利用して硬化剤充填用の型枠材を容易にネジ止めできる一層実用性に優れた構成の壁部一体型基礎ブロックとなる。
【図面の簡単な説明】
【００２４】
【図１】本実施例を示す斜視図である。
【図２】本実施例と、他の擁壁構築部品との関係を示す分解斜視図である。
【図３】本実施例と、擁壁用基礎ブロックとの連結構造を示す説明平面図である。
【図４】本実施例の仕切り形成用壁部へのネジ棒並びに型枠材の取付構造を示す斜視図である。
【図５】本実施例の擁壁形成現場への設置状態（ａ）、並びに設置後に仕切り形成用壁部と同じ高さまで積みブロックを積載し仕切り形成用壁部の後部にネジ棒を装着した状態（ｂ）を示す説明側断面図である。
【図６】図５（ｂ）に続いて、仕切り形成用壁部に型枠材を固定した状態（ａ）、並びに仕切り形成用壁部の後部と法面の間を硬化剤で一体化させた状態（ｂ）を示す説明側断面図である。
【図７】図６（ｂ）に続いて、仕切り形成用壁部の上部に壁部材を積み上げ設置した状態（ａ）、並びに積み上げ設置した壁部材と同じ高さまで積みブロックを積載し壁部材の後部にネジ棒を装着した状態（ｂ）を示す説明側断面図である。
【図８】図７（ｂ）に続いて、壁部材に型枠材を固定した状態を示す説明側断面図である。
【図９】図８に続いて、壁部材の後部と法面の間を硬化剤で一体化させた状態を示す説明側断面図である。
【図１０】本実施例を用いた護岸擁壁の完成状態を示す説明側断面図である。
【図１１】本実施例を用いた護岸擁壁の完成状態を示す概略説明斜視図である。
【考案を実施するための形態】
【００２５】
好適と考える本考案の実施形態を、図面に基づいて本考案の作用を示して簡単に説明する。
【００２６】
擁壁Ｗ形成現場に本考案の壁部一体型基礎ブロックＡを、その底板部３を介して設置固定し、この壁部一体型基礎ブロックＡの底板部３に擁壁Ｗ構築用の積みブロック１を積載して擁壁Ｗを構築するが、この際、底板部３に上方へ立ち上がるように一体成形した仕切り形成用壁部４が、擁壁Ｗの端部を覆う小口止め壁６の基礎となり、この仕切り形成用壁部４の上部に壁部材５を積み上げ設置することで、仕切り形成用壁部４と壁部材５とから成る小口止め壁６を形成することができる。
【００２７】
従って、プレキャストコンクリート製の小口止め壁を用いて行う従来の擁壁構築にあたっては、現場で小口止め壁を予め仮設する作業が必要であったが、本考案によれば壁部一体型基礎ブロックＡの設置固定と同時に小口止め壁６の基礎となる仕切り形成用壁部４の設置も完了するので、このような仮設作業は不要となり、この仕切り形成用壁部４の上部に壁部材５を積み上げ設置するだけで小口止め壁６を形成できるので、それだけ従来に比して施工時間の短縮と労力の低減（省人化）を図ることができる。
【００２８】
また、本考案の壁部一体型基礎ブロックＡは、仕切り形成用壁部４を有する構成でありながら、底板部３で安定的に接地できるために仕切り形成用壁部４が倒れにくく、そのため小口止め壁の仮設作業を伴う従来設置法に比べて安全性も著しく向上する。
【００２９】
また、擁壁Ｗ形成現場での壁部一体型基礎ブロックＡの設置固定位置の設定によって仕切り形成用壁部４を隔壁７の基礎とすることもでき、この仕切り形成用壁部４の上部に壁部材５を積み上げ設置することで、擁壁Ｗを所定間隔で仕切る隔壁７を容易に且つ安全に形成できる。
【００３０】
即ち、本考案の壁部一体型基礎ブロックＡを擁壁Ｗ形成現場の端部に設置固定すれば、擁壁Ｗの端部に仕切り形成用壁部４と壁部材５とから成る小口止め壁６を形成でき、壁部一体型基礎ブロックＡを擁壁形成現場の所定の仕切り位置（所定間隔を置いて隣接状態に構築される擁壁Ｗ間位置）に設置固定すれば、隣接する擁壁Ｗ間に仕切り形成用壁部４と壁部材５とから成る隔壁７を形成できることになる。
【００３１】
また、本考案の壁部一体型基礎ブロックＡは、底板部３に仕切り形成用壁部４を一体成形することによって容易に実現可能である。
【００３２】
また、例えば、前記底板部３の左右いずれか一端部に、上方へ立ち上がる前記仕切り形成用壁部４を一体成形し、この仕切り形成用壁部４の高さ寸法を、前記ブロック体２の重心がこの仕切り形成用壁部４でなく前記底板部３に存する高さ寸法に設定すれば、仕切り形成用壁部４の一方側にしか底板部３が存在しないから、小口止め壁６の形成用に適した構成であると共に、隔壁７形成用にも使用可能な構成であり、しかも、仕切り形成用壁部４を底板部３の一端部に有する構成でありながら、壁部一体型基礎ブロックＡはその重心が底板部３に存することによって倒れにくく安全性に優れる。
【００３３】
また、例えば、前記仕切り形成用壁部４の上部に、前記壁部材５の下部に係止する係止部８を設ければ、係止部８を壁部材５の下部に係止して仕切り形成用壁部４の上部に壁部材５を位置ずれしにくい安定状態で積み上げ設置することができる。
【００３４】
また、例えば、擁壁Ｗを構築する積みブロック１を積載可能なコンクリート製の擁壁用基礎ブロック９と左右並設状態に設置する壁部一体型基礎ブロックＡであって、前記底板部３の左右いずれか一端部若しくは両端部に、この底板部３とは前後幅寸法が異なる前記擁壁用基礎ブロック９と連結可能な連結部10を設ければ、既存の擁壁用基礎ブロック９は、その前後幅寸法がメーカーによって異なるが、このような前後幅寸法の異なる既存の擁壁用基礎ブロック９であっても、連結部10を介して連結することができる。
【００３５】
また、例えば、前記仕切り形成用壁部４の後部に、ネジ棒11を後方へ突出状態にして螺着可能なインサートナット13を埋設した構成とすれば、仕切り形成用壁部４（小口止め壁６若しくは隔壁７）と法面20との間にコンクリートなどの硬化剤27を充填し硬化させて仕切り形成用壁部４を法面20と一体化させる場合に、仕切り形成用壁部４の後部のインサートナット13にネジ棒11を螺着して仕切り形成用壁部４の後部にネジ棒11を突設すると、このネジ棒11が鉄筋として機能し仕切り形成用壁部４と硬化剤27とを強固に一体化できる。
【００３６】
また、例えば、前記仕切り形成用壁部４の側壁部に、型枠材14固定用のネジ12を螺着可能なインサートナット13を埋設した構成とすれば、仕切り形成用壁部４（小口止め壁６若しくは隔壁７）と法面20との間にコンクリートなどの硬化剤27を充填し硬化させて仕切り形成用壁部４を法面20と一体化させる場合に、仕切り形成用壁部４の側壁部のインサートナット13を利用して硬化剤27充填用の型枠材14をネジ12止めできる。
【実施例】
【００３７】
本考案の具体的な実施例について図面に基づいて説明する。
【００３８】
本実施例の壁部一体型基礎ブロックＡは、擁壁Ｗ構築用の積みブロック１を積載可能な底板部３を備えたコンクリート製ブロック体２の前記底板部３に、上方へ立ち上がる仕切り形成用壁部４を一体成形した構成のプレキャストコンクリート製とし、この仕切り形成用壁部４の上部に壁部材５を積み上げ設置することで、擁壁Ｗの端部に仕切り形成用壁部４と壁部材５とから成る小口止め壁６を形成、若しくは隣接する擁壁Ｗ間に仕切り形成用壁部４と壁部材５とから成る隔壁７を形成し得るように構成している。
【００３９】
また、本実施例の壁部一体型基礎ブロックＡは、図２に示すように、擁壁Ｗを構築する積みブロック１を積載可能なコンクリート製の擁壁用基礎ブロック９と左右並設状態にして設置固定するものであって、並設設置したこの壁部一体型基礎ブロックＡの底板部３と、擁壁用基礎ブロック９とに多数の積みブロック１を上下左右に積載すると共に、前記仕切り形成用壁部４上にコンクリート製の前記壁部材５を積み上げ設置することで、小口止め壁６及び隔壁７を具備する擁壁Ｗを形成し得るように構成している。
【００４０】
具体的には、ブロック体２は、図１に示すように、平面視で左右方向に長さを有する略横長方形状の底板部３の左右いずれか一側端部（図１における左側端部）に、側面視で略平行四辺形状を呈する仕切り形成用壁部４が立設する正面視略Ｌ字状に一体成形している。尚、例えば、護岸擁壁Ｗを構築する場合、対岸側では本実施例と左右対称形状の壁部一体型基礎ブロックＡを使用する。
【００４１】
また、底板部３は、その下面を平坦面に形成して擁壁Ｗ形成現場の地面19に載置する載置面とし、その上面も平坦面に形成してこの平坦上面に前記積みブロック１を積載し得るようにすると共に、この底板部３の上面の前端部に、積載した前記積みブロック１の前方への移動を防止する段差部15を一体成形している。
【００４２】
また、この底板部３の他側端部に、前記擁壁用基礎ブロック９の端部と連結可能な連結部10を設けている。
【００４３】
連結部10は、底板部３の他側端部に、前記擁壁形成用基礎ブロック９の両端部に設けられる硬化剤注入用切欠部16と連通させる連通切欠部17を設けて構成している（連通切欠部17を連結部10としている。）。更に詳しくは、この連通切欠部17は、底板部３の他側端部の前後方向の中間位置を上下方向に貫通するようにして底板部３の内方に向かって凹状に切欠すると共に、この切欠部の下方側が末広がる形状となるように、底板部３を一体成形した構成としている。
【００４４】
また、ここで、本実施例で用いる擁壁形成用基礎ブロック９を説明すると、図２，図３に示すように、前記底板部３より左右方向に横長な平面視略横長方形板状であって、その上面の前端部（図３中の下側端部）に、積載した前記積みブロック１の前方への移動を防止する段差係止部18を一体成形すると共に、両側端部と中央部とに、前記硬化剤注入用切欠部16を一体成形した構成のプレキャストコンクリート製としている。
【００４５】
また、この硬化剤注入用切欠部16は、擁壁形成用基礎ブロック９の両端部と中央部の前後方向の中間位置を、上下方向に貫通するようにして且つ下方側が末広がる形状に一体成形することで構成している。更に、両端部の硬化剤注入用切欠部16は、擁壁形成用基礎ブロック９の内方に向かって凹状に切欠する形状に形成し、中央部の硬化剤注入用切欠部16は、長方形状の貫通穴に形成している。
【００４６】
この擁壁形成ブロック９と、前記連結部10を介した底板部３との連結構造は、擁壁形成ブロック９の端部と底板部３の連結部10とを突き合せて硬化剤注入用切欠部16と連通切欠部17とを連通状態にして並設した上で、この連通させた連通切欠部17と硬化剤注入用切欠部16とにコンクリートやモルタルなどの硬化剤27を注入し硬化させることで、擁壁形成ブロック９と底板部３（壁部一体型基礎ブロックＡ）とを連結固定すると共に、擁壁形成ブロック９と壁部一体型基礎ブロックＡとを擁壁Ｗ形成現場の切土した地面19に一体化させて設置固定する構造としている。
【００４７】
また、既存の擁壁用基礎ブロック９はメーカーによって前後幅寸法が異なるが、本実施例の前記連結部10は、底板部３と前後幅寸法が異なる前記擁壁用基礎ブロック９とも連結可能な構成としている。
【００４８】
具体的には、前記連通切欠部17の前後幅を、既存の擁壁用基礎ブロック９の硬化剤注入用切欠部16の前後幅より広く形成することで、前後幅が小さい擁壁用基礎ブロック９（図３（ａ））の硬化剤注入用切欠部16に対しても、前後幅が大きい擁壁用基礎ブロック９（図３（ｂ））の硬化剤注入用切欠部16に対しても連通切欠部17を連通状態にでき、この連通させた硬化剤注入用切欠部16と連通切欠部17に硬化剤27を注入して連結できる構成としている（図３参照）。
【００４９】
また、連結部10を有する底板部３の他側端部と、前記擁壁用基礎ブロック９の両端部とは、カーブでの並設設置にも対応可能な傾斜状端部に成形している。
【００５０】
また、この底板部３の一側端部に一体成形される前記仕切り形成用壁部４は、その前面並びに後面が後傾状に傾斜する略平行四辺形状に形成すると共に、その後部を前記底板部３の後部より後方へ突出状態に一体成形し、この仕切り形成用壁部４の後方突出部の下面を底板部３の下面と面一に成形して、この仕切り形成用壁部４の下面も底板部３と共に地面19に載置する構成としている。即ち、これによりブロック体２が載置時に前後方向に揺動しにくく良好な載置安定性を発揮する構成としている。
【００５１】
また、この仕切り形成用壁部４は、その高さ寸法を、前記ブロック体２の重心がこの仕切り形成用壁部４でなく前記底板部３に存する高さ寸法に設定している。
【００５２】
具体的には、仕切り形成用壁部４の高さ寸法を、前記底板部３の左右幅に対し２／５〜３／５の高さ寸法に設定して、前記ブロック体２の重心が前記底板部３に存するように構成している。更に詳しくは、底板部３の左右幅が１５００〜１６００ｍｍの場合に、仕切り形成用壁部４の高さ寸法を９１０〜９２０ｍｍ程度に設定することが好ましい。
【００５３】
また、この仕切り形成用壁部４は、図４に示すように、その後面部にネジ棒11を後方へ突出状態にして螺着可能なインサートナット13を埋設すると共に、その後部寄りの両側壁面部に型枠材14固定用のネジ12（図面はボルト12を採用）を螺着可能なインサートナット13を埋設している。更に詳しくは、仕切り形成用壁部４の後面部には、その上下方向に間隔を置いた複数箇所（図面では三箇所）にインサートナット13を埋設し、仕切り形成用壁部４の両側壁面部には、その上下方向に間隔を置いた複数箇所（図面では三箇所）に、インサートナット13を埋設した場合を示している。これらは、仕切り形成用壁部４と擁壁Ｗ形成現場の切土した法面20との間にコンクリートなどの硬化剤27を充填して一体化させる場合に使用するもので、後面部のインサートナット13にネジ棒11を螺着するだけで鉄筋代りにできると共に、両側面部のインサートナット13に板状の型枠材14をネジ12止めして、この両型枠材14と仕切り形成用壁部４後面部と法面20とに囲まれた空間部内に硬化剤27を漏れ止め状態で充填できる構成としている。尚、仕切り形成用壁部４と擁壁Ｗ形成現場の切土した法面20との間に砕石等を充填することで施工を完了する場合には、インサートナット13は使用しない。
【００５４】
また、この仕切り形成用壁部４は、その上部に、前記壁部材５の下部に係止する係止部８を設けている。具体的には、上面部の前後方向の中間部に段差を設けて、この段差を係止部８としている。更に詳しくは、仕切り形成用壁部４の上面部前側が高く、上面部後側が低くなる前記係止部８（段差）を設けている。
【００５５】
また、仕切り形成用壁部４は、係止部８より前側の上面部左右と、係止部８より後側の上面部左右とに、連結ボルト（図示省略）を挿通可能な連結金具部21を埋設して、この連結金具部21と前記壁部材５の下面の対応位置に埋設された連結金具部21とを連結ボルトとナット（図示省略）とで螺着連結し得るように構成している。
【００５６】
また、ここで、本実施例で用いる壁部材５について説明すると、前記仕切り形成用壁部４と同等の横幅と前後幅を有する略平行四辺形状の壁材であって、仕切り形成用壁部４の二倍程度の高さ寸法を有する構成のプレキャストコンクリート製としている。
【００５７】
また、この壁部材５にも、仕切り形成用壁部４と同様に後面部と後部寄りの両側面部との複数箇所にインサートナット13を埋設して後面部に鉄筋として機能するネジ棒11を螺着できると共に、両側面部に型枠材15をネジ12止めできる構成としている。
【００５８】
また、この壁部材５の上面は、前記仕切り形成用壁部４の係止部８と同構造の係止部８（段差）を一体成形し、下面は、前記係止部８が係合可能な段差形状の係合部22を一体成形して、この係合部22に係止部８が当接係止することで、壁部材５が仕切り形成用壁部４に対し前方へズリ動しない状態で積み上げ設置される構成としている。尚、最上段に設置する壁部材５に関しては、その上面に係止部８と連結金具部21を有しないものを使用した場合を示している（図２参照）。
【００５９】
また、この壁部材５の前記係合部22より前側の下面部左右と、係合部22より後側の下面部左右とに、前記仕切り形成用壁部４の上面の連結金具部21に位置を対応させて連結金具部21を埋設すると共に、この壁部材５の係止部８より前側の上面部左右と、係止部８より後側の上面部左右とにも、仕切り形成用壁部４の上面と同様に連結金具部21を埋設して、この壁部材５上に、他の壁部材５を更に積み上げ設置連結して小口止め壁６若しくは隔壁７の高さを増すことができるように構成している。
【００６０】
また、仕切り形成用壁部４の前面部と壁部材５の前面部は、同調の粗面模様に成形した場合を示している。即ち、この仕切り形成用壁部４と壁部材５とで構成される小口止め壁６若しくは隔壁７は、その前面部に自然な景観の粗面模様が表出する構成としている。尚、この仕切り形成用壁部４の前面部と壁部材５の前面部は、無模様の滑面でも良い。
【００６１】
図中符号28はクレーン等で吊り上げする際にワイヤーロープなどを挿通連結するための吊り孔、29は同ワイヤーロープなどを連結するためのアンカーである。
【００６２】
次に、本実施例を用いた護岸擁壁Ｗの構築方法を、図５〜図１１を用いて説明する。尚、本実施例は、仕切り形成用壁部４と擁壁Ｗ形成現場の切土した法面20との間にコンクリートなどの硬化剤27を充填して擁壁Ｗと法面20とを一体化させる場合を示している。
【００６３】
また、ここで、本実施例で用いる積みブロック１を説明すると、図２に示すように、上面に位置決め凸部23を有し、この位置決め凸部23が係合する係合凹部24を下面に有する直方体状のブロックユニットが複数左右並設状態に連結された構成のプレキャストコンクリート製とし、このブロックユニットの並設数が異なる数種類を用意してこれらを組み合わせて積載することで広大な擁壁面を形成し得るものとしている。
【００６４】
先ず、切土した地面19に割栗石25を敷設し、この割栗石25上に本実施例の壁部一体型基礎ブロックＡ（の底板部３）を載置する（図５（ａ）参照）。尚、この壁部一体型基礎ブロックＡの設置位置を河川の端部位置とすると、仕切り形成用壁部４と壁部材５とで小口止め壁６を形成することができ、設置位置を河川の途中の擁壁Ｗ間位置とすると仕切り形成用壁部４と壁部材５とで隔壁７を形成することができる（図１１参照）。
【００６５】
次いで、連通切欠部17に硬化剤27を充填し硬化させて底板部３を地面19と一体化させ（底板部３を地面19に固定し）、この底板部３上に、仕切り形成用壁部４と同じ高さまで積みブロック１を積載すると共に、仕切り形成用壁部４の後部にネジ棒11を螺着する（図５（ｂ）参照）。
【００６６】
次いで、仕切り形成用壁部４の側壁面部に型枠材14を固定し（図６（ａ）参照）、型枠材14内に硬化剤27を充填し硬化させて法面20と一体化させ、型枠材14を取り外す（図６（ｂ）参照）。
【００６７】
次いで、仕切り形成用壁部４の上部に壁部材５を積み上げ、係止部８を係合部22に係止した上で連結金具部21と連結ボルト・ナットにより連結設置し（図７（ａ）参照）、更に積載済の積みブロック１上に壁部材５と同じ高さまで積みブロック１を積載すると共に、壁部材５の後部にネジ棒11を螺着する（図７（ｂ）参照）。
【００６８】
次いで、壁部材５に型枠材14を固定し（図８参照）、型枠材14内に硬化剤27を充填し硬化させて法面20と一体化させ、型枠材14を取り外す（図９参照）。
【００６９】
以下、この作業を、積みブロック１と壁部材５が所望の高さとなるまで繰り返し、最上段の積みブロック１と壁部材５の上部に天端コンクリート26を打設して擁壁Ｗを完成させる（図１０，図１１参照）。尚、図示していないが、積みブロック１の背面と法面20の間の隙間には、砕石やコンクリートなどを充填する。
【００７０】
尚、本考案は、本実施例に限られるものではなく、各構成要件の具体的構成は適宜設計し得るものである。
【符号の説明】
【００７１】
１  積みブロック
２  ブロック体
３  底板部
４  仕切り形成用壁部
５  壁部材
６  小口止め壁
７  隔壁
８  係止部
９  擁壁用基礎ブロック
10  連結部
11  ネジ棒
12  ネジ
13  インサートナット
14  型枠材
Ａ  壁部一体型基礎ブロック
Ｗ  擁壁
【図１】
0003185704.tif 000003
【図２】
0003185704.tif 000004
【図３】
0003185704.tif 000005
【図４】
0003185704.tif 000006
【図５】
0003185704.tif 000007
【図６】
0003185704.tif 000008
【図７】
0003185704.tif 000009
【図８】
0003185704.tif 000010
【図９】
0003185704.tif 000011
【図１０】
0003185704.tif 000012
【図１１】
0003185704.tif 000013